(57)【要約】【課題】外装筐体内部の温度上昇を防止しつつ、厚み寸法を低減できるプロジェクターを提供する。【解決手段】プロジェクター１は、外装を構成する外装筐体２と、外装筐体２内部の空気を吸入して外部に吐出する排気ファン４とを備える。外装筐体２は、鉛直軸に交差する天面部及び底面部２２と、排気ファン４から吐出された空気を外部に排出するための排気口２３２を有し、天面部及び底面部２２を接続する側面部２３とを備える。排気ファン４は、所定の回転軸ＲＡｘを中心として回転し回転方向に対して後向きに曲がった複数の羽根が外周に一体化された羽根車を有するターボファンで構成され、回転軸ＲＡｘが鉛直軸に沿うように配設されている。【選択図】図１
2011209403.tif 000002
【特許請求の範囲】
【請求項１】
外装を構成する外装筐体と、前記外装筐体内部の空気を吸入して外部に吐出する排気ファンとを備えたプロジェクターであって、
前記外装筐体は、
鉛直軸に交差する天面部及び底面部と、前記排気ファンから吐出された空気を外部に排出するための排気口を有し、前記天面部及び前記底面部を接続する側面部とを備え、
前記排気ファンは、
所定の回転軸を中心として回転し回転方向に対して後向きに曲がった複数の羽根が外周に一体化された羽根車を有するターボファンで構成され、前記回転軸が鉛直軸に沿うように配設されている
ことを特徴とするプロジェクター。
【請求項２】
請求項１に記載のプロジェクターにおいて、
前記排気ファンは、
前記羽根車を挟み前記回転軸に沿って並設された第１吸入口及び第２吸入口を備え、前記第１吸入口及び前記天面部の間に第１の隙間が形成され、前記第２吸入口及び前記底面部の間に第２の隙間が形成されるように配設されている
ことを特徴とするプロジェクター。
【請求項３】
請求項２に記載のプロジェクターにおいて、
前記排気ファンは、
前記第１吸入口を介した空気の第１吸入量と、前記第２吸入口を介した空気の第２吸入量とが異なるように構成され、
前記第１の隙間及び前記第２の隙間の大小関係は、
前記第１吸入量及び前記第２吸入量の大小関係と逆の関係に設定されている
ことを特徴とするプロジェクター。
【請求項４】
請求項２または請求項３に記載のプロジェクターにおいて、
前記外装筐体内部に配設され、光を出射する光源装置を備え、
前記排気ファンは、
前記光源装置にて温められた空気を吸入して前記排気口を介して外部に吐出し、
前記天面部及び前記底面部は、
前記光源装置にて温められた空気を前記排気ファンに導くダクトの一部として構成され、
前記天面部及び前記底面部の少なくともいずれか一方には、
前記光源装置から前記排気ファンに至る空気の流路に連通し、前記外装筐体外部の空気を前記流路に導入させるための連通孔が形成されている
ことを特徴とするプロジェクター。
【請求項５】
請求項４に記載のプロジェクターにおいて、
前記光源装置は、
前記天面部及び前記底面部の少なくともいずれか一方との間に第３の隙間が形成されるように配設され、
前記連通孔は、
鉛直軸に沿う方向から見て前記光源装置の配設位置に対応する位置に形成され、前記第３の隙間と前記外装筐体外部とを連通する
ことを特徴とするプロジェクター。
【請求項６】
請求項１から請求項５のいずれかに記載のプロジェクターにおいて、
前記外装筐体内部に配設され、画像を投射する投射光学装置を備え、
前記排気口は、
画像の投射側の前記側面部に形成され、
前記排気ファンは、
前記排気口側における前記複数の羽根の移動方向が前記投射光学装置から離間する方向となるように配設されている
ことを特徴とするプロジェクター。
【請求項７】
請求項１から請求項６のいずれかに記載のプロジェクターにおいて、
前記外装筐体内部に配設され、光を出射する光源装置を備え、
前記排気ファンは、
前記排気口の形成位置及び前記光源装置の配設位置を結ぶ直線上に配設されている
ことを特徴とするプロジェクター。
【発明の詳細な説明】
【技術分野】
【０００１】
本発明は、プロジェクターに関する。
【背景技術】
【０００２】
従来、プロジェクターにおいて、冷却ファンを有する排気機構により、外装筐体内部の空気を吸入して外部に排出し、外装筐体内部の温度上昇を防止する構成が知られている（例えば、特許文献１参照）。
特許文献１に記載の排気機構は、冷却ファンとして、空気の吸入方向及び吐出方向がファンの回転軸に沿う、所謂、軸流ファンが採用されている。そして、軸流ファンは、外装筐体内部において、ファンの回転軸が水平軸に沿うように（外装筐体における鉛直軸に交差する天面部または底面部に沿うように）配設されている。
【先行技術文献】
【特許文献】
【０００３】
【特許文献１】特開２００５−２４２１５６号公報
【発明の概要】
【発明が解決しようとする課題】
【０００４】
特許文献１に記載のプロジェクターでは、軸流ファンが上述したように配設されているので、厚み寸法（天面部及び底面部間の離間寸法）を低減するためには、軸流ファンのサイズを小さくする必要がある。
しかしながら、軸流ファンは、サイズにより空気の吸入量等の能力が決まるものである。このため、プロジェクターの厚み寸法を小さくすると、軸流ファンの能力を低減することとなり、外装筐体内部の温度上昇を防止することが難しい、という問題がある。
【０００５】
本発明の目的は、外装筐体内部の温度上昇を防止しつつ、厚み寸法を低減できるプロジェクターを提供することにある。
【課題を解決するための手段】
【０００６】
本発明のプロジェクターは、外装を構成する外装筐体と、前記外装筐体内部の空気を吸入して外部に吐出する排気ファンとを備えたプロジェクターであって、前記外装筐体は、鉛直軸に交差する天面部及び底面部と、前記排気ファンから吐出された空気を外部に排出するための排気口を有し、前記天面部及び前記底面部を接続する側面部とを備え、前記排気ファンは、所定の回転軸を中心として回転し回転方向に対して後向きに曲がった複数の羽根が外周に一体化された羽根車を有するターボファンで構成され、前記回転軸が鉛直軸に沿うように配設されていることを特徴とする。
【０００７】
本発明では、排気ファンとしてターボファンが採用され、当該排気ファンは、羽根車の回転軸が鉛直軸に沿うように配設されている。
このことにより、排気ファンの能力を低減することなく、すなわち、外装筐体内部の温度上昇を防止しつつ、プロジェクターの厚み寸法を低減できる。
【０００８】
本発明のプロジェクターでは、前記排気ファンは、前記羽根車を挟み前記回転軸に沿って並設された第１吸入口及び第２吸入口を備え、前記第１吸入口及び前記天面部の間に第１の隙間が形成され、前記第２吸入口及び前記底面部の間に第２の隙間が形成されるように配設されていることが好ましい。
本発明では、排気ファンは、第１吸入口及び第２吸入口を有する両側吸込み型のターボファンで構成され、天面部及び底面部との間に第１，第２の隙間がそれぞれ形成されるように配設されている。
このことにより、天面部側及び底面部側の双方から空気を吸入することで、外装筐体内部に空気が滞留することなく、外装筐体内部の空気を効果的に吸入することができる。このため、外装筐体内部の温度上昇を効果的に防止できる。
また、排気ファンにて吸入される空気が天面部や底面部の裏面に沿って流通することとなるため、天面部や底面部の温度上昇も抑制できる。
【０００９】
本発明のプロジェクターでは、前記排気ファンは、前記第１吸入口を介した空気の第１吸入量と、前記第２吸入口を介した空気の第２吸入量とが異なるように構成され、前記第１の隙間及び前記第２の隙間の大小関係は、前記第１吸入量及び前記第２の吸入量の大小関係と逆の関係に設定されていることが好ましい。
本発明では、例えば、第１吸入量が第２吸入量よりも多い場合には、第１の隙間は、第２の隙間よりも小さくなるように設定されている。
このことにより、吸入量の多い側の隙間を小さくすることで、天面部側及び底面部側を流通する空気の流量バランスをとることができ、天面部側及び底面部側でバランスよく空気を流通させることができる。すなわち、排気ファンは、外装筐体内部の空気を効率的に吸入することができる。
【００１０】
本発明のプロジェクターでは、前記外装筐体内部に配設され、光を出射する光源装置を備え、前記排気ファンは、前記光源装置にて温められた空気を吸入して前記排気口を介して外部に吐出し、前記天面部及び前記底面部は、前記光源装置にて温められた空気を前記排気ファンに導くダクトの一部として構成され、前記天面部及び前記底面部の少なくともいずれか一方には、前記光源装置から前記排気ファンに至る空気の流路に連通し、前記外装筐体外部の空気を前記流路に導入させるための連通孔が形成されていることが好ましい。
本発明では、天面部及び底面部の少なくともいずれか一方に上述した連通孔が形成されているので、排気ファンを駆動させることで、連通孔を介して、外装筐体外部の空気を光源装置から排気ファンに至る空気の流路に導入することができる。このため、光源装置にて温められた空気と外装筐体外部の空気とを混合させることができ、排気ファンに吸入される空気の温度を低減できる。したがって、排気ファンに高温の空気が吸入されることがなく、排気ファンや排気口の熱劣化を防止できる。
【００１１】
本発明のプロジェクターでは、前記光源装置は、前記天面部及び前記底面部の少なくともいずれか一方との間に第３の隙間が形成されるように配設され、前記連通孔は、鉛直軸に沿う方向から見て前記光源装置の配設位置に対応する位置に形成され、前記第３の隙間と前記外装筐体外部とを連通することが好ましい。
本発明では、連通孔が上述した位置に形成されているので、光源装置から排気ファンに至る空気の流路の上流側で、光源装置にて温められた空気と外装筐体外部の空気とを混合させることができ、排気ファンに吸入される空気の温度を効果的に低減できる。
また、連通孔を上述した位置に形成することで、当該連通孔を介した外装筐体外部の空気により光源装置近傍の空気の温度上昇を効果的に抑制できる。
さらに、連通孔を介した外装筐体外部の空気により、天面部や底面部における光源装置の配設位置に対応した領域の温度上昇も抑制できる。
【００１２】
本発明のプロジェクターでは、前記外装筐体内部に配設され、画像を投射する投射光学装置を備え、前記排気口は、画像の投射側の前記側面部に形成され、前記排気ファンは、前記排気口側における前記複数の羽根の移動方向が前記投射光学装置から離間する方向となるように配設されていることが好ましい。
本発明では、排気ファンが上述したように配設されているので、排気ファンから排気口を介して外装筐体外部に吐出される排気流が投射光学装置から投射された画像に干渉することを抑制できる。このため、投影画像の画質が劣化することがなく、投影画像を良好に表示できる。
【００１３】
本発明のプロジェクターでは、前記外装筐体内部に配設され、光を出射する光源装置を備え、前記排気ファンは、前記排気口の形成位置及び前記光源装置の配設位置を結ぶ直線上に配設されていることが好ましい。
本発明では、排気ファンが上述したように配設されているので、光源装置からの漏れ光を遮光し、排気口を介して外装筐体外部に光が漏れることを防止できる。
このため、特許文献１に記載の排気機構のように軸流ファンの吐出側に配設された排気ダクトや排気口に遮光用のルーバーを設ける必要がなく、排気機構の簡素化が図れる。すなわち、排気ダクト自体や、排気口に配設される遮光用のルーバーを省略でき、プロジェクターの小型化、軽量化、及び低コスト化が図れる。
また、上述した遮光用のルーバーを省略できるため、当該遮光用のルーバーによる空気抵抗がなくなるため、排気口を介して、排気ファンから吐出された空気を圧力損失なく外装筐体外部に排出できる。このため、空気抵抗による騒音が生じることがなく、プロジェクターの静粛性を十分に確保できる。
【図面の簡単な説明】
【００１４】
【図１】本実施形態におけるプロジェクターの内部構成を模式的に示す図。
【図２】本実施形態における排気ファンの構成を模式的に示す断面図。
【図３】本実施形態における排気ファンの配設位置を説明するための図。
【図４】本実施形態における排気ファンの配設位置を説明するための図。
【発明を実施するための形態】
【００１５】
以下、本発明の実施の一形態を図面に基づいて説明する。
〔プロジェクターの構成〕
図１は、本実施形態におけるプロジェクター１の内部構成を模式的に示す図である。具体的に、図１は、プロジェクター１の内部構成を天面部２１側から見た図である。
なお、以下では、説明の便宜上、後述する投射レンズ３６が配置される側を「前面」とし、その反対側を「背面」とする。
また、以下で説明する「鉛直軸」とは、プロジェクター１が机等の設置面に載置された状態で、当該プロジェクター１の自重が掛かる方向（図１中、紙面に直交する方向）を意味するものである。
プロジェクター１は、画像情報に応じて光束を変調してスクリーン（図示略）上に投射する。このプロジェクター１は、図１に示すように、外装を構成する外装筐体２と、外装筐体２内部に配設される光学ユニット３及び排気ファン４とを備える。
【００１６】
〔外装筐体の構成〕
外装筐体２は、図１に示すように、鉛直軸に交差する天面部２１（図３、図４参照）及び底面部２２と、天面部２１及び底面部２２を接続する側面部２３〜２６（以下、前面側の側面部を前面部２３、背面側の側面部を背面部２４）とを備え、略直方体形状を有する。
前面部２３には、図１に示すように、光学ユニット３の後述する投射レンズ３６から投射された画像を通過させるための画像用開口部２３１が形成されている。
また、前面部２３において、画像用開口部２３１に対して前面側から見て左側（後述する光源装置３１の前面側）には、外装筐体２内部の空気を外部に排出するための排気口２３２が形成されている。
【００１７】
〔光学ユニットの構成〕
光学ユニット３は、画像情報（画像信号）に応じて光束を変調して投射するものであり、図１に示すように、背面部２４に沿って延出するとともに、一端側が前面部２３に向けて延出する平面視略Ｌ字形状を有する。
この光学ユニット３は、図１に示すように、光源ランプ３１１、リフレクター３１２、及びランプハウジング３１３を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの出射側偏光板３５３、及び色合成光学装置としてのクロスダイクロイックプリズム３５４を有する光学装置３５と、投射光学装置としての投射レンズ３６とを備える。
【００１８】
そして、光学ユニット３では、上述した構成により、光源装置３１から出射され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて画像となり、投射レンズ３６にてスクリーンに投射される。
【００１９】
〔排気ファンの構成〕
図２は、排気ファン４の構成を模式的に示す断面図である。具体的に、図２は、排気ファン４を天面部２１側から見た断面図である。
排気ファン４は、外装筐体２内部に滞留する高温空気を、排気口２３２を介して外部に排出する。
この排気ファン４は、図２に示すように、羽根車５と、ケーシング６とを備える。
羽根車５は、外周に複数の羽根５１が一体化され、ケーシング６内部において、回転軸ＲＡｘ（図２）を中心として回転可能に軸支される。
ここで、複数の羽根５１は、羽根車５の回転方向Ｒ１（図２）に対して後向きに曲がるように形成されている。
すなわち、排気ファン４は、所謂、ターボファンで構成されている。
【００２０】
ケーシング６は、羽根車５を内部に収納する部材である。
このケーシング６において、回転軸ＲＡｘに交差する各端面６Ａ（図１），６Ｂ（図２）には、第１吸入口６１（図１）及び第２吸入口６２（図２）がそれぞれ形成されている。
すなわち、各吸入口６１，６２は、羽根車５を挟み、回転軸ＲＡｘに沿って並設されている。
また、ケーシング６において、各端面６Ａ，６Ｂを接続する側面６Ｃには、図１または図２に示すように、吐出口６３が形成されている。
さらに、端面６Ｂには、具体的な図示は省略したが、リード線を介して外部から電力が供給され、回転軸ＲＡｘを中心として羽根車５を回転させるためのドライバー回路（回路基板）が配設されている。
【００２１】
〔排気ファンの配設位置〕
次に、上述した排気ファン４の配設位置について説明する。
図３及び図４は、排気ファン４の配設位置を説明するための図である。具体的に、図３は図１におけるIII-III線の断面図であり、図４は排気口２３２から外装筐体２内部を見た図である。
排気ファン４は、図３に示すように、排気口２３２の形成位置、及び光源装置３１の配設位置を結ぶ直線（III-III線）上において、吐出口６３が排気口２３２に対向し、回転軸ＲＡｘが鉛直軸に沿うように配設されている。
また、排気ファン４は、図１または図２に示すように、排気口２３２側（吐出口６３側）における複数の羽根５１の移動方向Ｒ２（図２）が投射レンズ３６から離間する方向となるように配設される。
【００２２】
さらに、排気ファン４は、底面部２２に立設されたリブ（図示略）により支持されることで、図３に示すように、第１吸入口６１及び天面部２１の間に第１の隙間ＣＬ１が形成されるとともに、第２吸入口６２及び底面部２２の間に第２の隙間ＣＬ２が形成される。
そして、排気ファン４は、各隙間ＣＬ１，ＣＬ２により鉛直方向の位置が設定されることで、図４に示すように、排気口２３２から外装筐体２内部を見た場合に、光源装置３１を隠すように配設される。すなわち、排気ファン４は、光源装置３１から出射され所定の照明光軸Ａｘ（図１）から外れた光を遮光することとなる。
【００２３】
以上のように配設された排気ファン４は、羽根車５が回転軸ＲＡｘを中心として回転することで、外装筐体２内部の空気、特に、光源装置３１にて温められた空気を、各隙間ＣＬ１，ＣＬ２から各吸入口６１，６２を介してそれぞれ吸入する。また、排気ファン４は、吸入した空気を、吐出口６３から排気口２３２を介して外装筐体２外部に吐出する。
すなわち、天面部２１及び底面部２２は、光源装置３１から排気ファン４に空気を導くダクトの一部を構成する。
【００２４】
本実施形態では、第１吸入口６１の開口面積は、第２吸入口６２の開口面積よりも大きくなるように形成されている。すなわち、排気ファン４は、第１吸入口６１を介した空気の第１吸入量が第２吸入口６２を介した空気の第２吸入量よりも多くなるように構成されている。
そして、各隙間ＣＬ１，ＣＬ２の大小関係は、第１吸入量及び第２吸入量の大小関係と逆の関係に設定されている。すなわち、第１の隙間ＣＬ１は、第２の隙間ＣＬ２よりも小さくなるように設定されている。
例えば、第１吸入量が第２吸入量の２倍となるように設計されている場合には、第２の隙間ＣＬ２が第１の隙間ＣＬ１の略２倍となるように設計することが好ましい。
【００２５】
また、底面部２２には、第１連通孔２２１，２２２（図３）が形成されている。
第１連通孔２２１は、光源装置３１から第２吸入口６２に至る空気の流路Ｃに連通し、外装筐体２外部の空気を流路Ｃに導入させるための孔である。
ここで、光源装置３１は、図３に示すように、底面部２２との間に第３の隙間ＣＬ３が形成されるように配設されている。
そして、第１連通孔２２１は、光源装置３１の下方側（鉛直軸に沿う方向から見て光源装置３１の配設位置に対応する位置）に形成され、第３の隙間ＣＬ３と外装筐体２外部とを連通する。
第２連通孔２２２は、第１連通孔２２１と同様に、外装筐体２外部の空気を流路Ｃに導入させるための孔であり、第１連通孔２２１に対して流路Ｃの下流側に形成されている。
【００２６】
上述した本実施形態によれば、以下の効果がある。
本実施形態では、排気ファン４としてターボファンが採用され、排気ファン４は、羽根車５の回転軸ＲＡｘが鉛直軸に沿うように配設されている。
このことにより、排気ファン４の能力を低減することなく、すなわち、外装筐体２内部の温度上昇を防止しつつ、プロジェクター１の厚み寸法を低減できる。
【００２７】
また、排気ファン４は、各吸入口６１，６２を有する両側吸込み型のターボファンで構成され、天面部２１及び底面部２２との間に各隙間ＣＬ１，ＣＬ２がそれぞれ形成されるように配設されている。
このことにより、天面部２１側及び底面部２２側の双方から空気を吸入することで、外装筐体２内部に空気が滞留することなく、外装筐体２内部の空気を効果的に吸入することができる。このため、外装筐体２内部の温度上昇を効果的に防止できる。
また、排気ファン４にて吸入される空気が天面部２１や底面部２２の裏面に沿って流通することとなるため、天面部２１や底面部２２の温度上昇も抑制できる。
【００２８】
さらに、各隙間ＣＬ１，ＣＬ２の大小関係は、第１吸入量及び第２吸入量の大小関係の逆となるように設定されている。
このことにより、吸入量の多い側の第１の隙間ＣＬ１を小さくすることで、天面部２１側及び底面部２２側を流通する空気の流量バランスをとることができ、天面部２１側及び底面部２２側でバランスよく空気を流通させることができる。すなわち、排気ファン４は、外装筐体２内部の空気を効率的に吸入することができる。
【００２９】
また、底面部２２に連通孔２２１，２２２が形成されているので、排気ファン４を駆動させることで、連通孔２２１，２２２を介して、外装筐体２外部の空気を流路Ｃに導入することができる。このため、光源装置３１にて温められた空気と外装筐体２外部の空気とを混合させることができ、排気ファン４に吸入される空気の温度を低減できる。したがって、排気ファン４に高温の空気が吸入されることがなく、排気ファン４や排気口２３２の熱劣化を防止できる。このため、排気ファン４や排気口２３２を耐熱性の材料で構成する必要がない。
【００３０】
さらに、第１連通孔２２１が光源装置３１の下方側に形成されているので、流路Ｃの上流側で、光源装置３１にて温められた空気と外装筐体２外部の空気とを混合させることができ、排気ファン４に吸入される空気の温度を効果的に低減できる。
また、第１連通孔２２１を光源装置３１の下方側に形成することで、第１連通孔２２１を介した外装筐体２外部の空気により光源装置３１近傍の空気の温度上昇を効果的に抑制できる。
さらに、第１連通孔２２１を介した外装筐体２外部の空気により、底面部２２における光源装置３１の配設位置に対応した領域の温度上昇も抑制できる。
【００３１】
また、排気ファン４は、移動方向Ｒ２が投射レンズ３６から離間する方向となるように配設されている。
このことにより、排気ファン４から排気口２３２を介して外装筐体２外部に吐出される排気流が投射レンズ３６から投射された画像に干渉することを抑制できる。このため、スクリーン上の投影画像の画質が劣化することがなく、投影画像を良好に表示できる。
【００３２】
さらに、排気ファン４は、排気口２３２の形成位置及び光源装置３１の配設位置を結ぶ直線上に配設されている。
このことにより、排気ファン４にて光源装置３１からの漏れ光を遮光し、排気口２３２を介して外装筐体２外部に光が漏れることを防止できる。
このため、従来の排気機構のように軸流ファンの吐出側に配設された排気ダクトや排気口に遮光用のルーバーを設ける必要がなく、排気機構の簡素化が図れる。すなわち、排気ダクト自体や、排気口に配設される遮光用のルーバーを省略でき、プロジェクター１の小型化、軽量化、及び低コスト化が図れる。
また、上述した遮光用のルーバーを省略できるため、当該遮光用のルーバーによる空気抵抗がなくなるため、排気口２３２を介して、排気ファン４から吐出された空気を圧力損失なく外装筐体２外部に排出できる。このため、空気抵抗による騒音が生じることがなく、プロジェクター１の静粛性を十分に確保できる。
【００３３】
なお、本発明は前述の実施形態に限定されるものではなく、本発明の目的を達成できる範囲での変形、改良等は本発明に含まれるものである。
前記実施形態では、排気ファン４は、各吸入口６１，６２を有する両側吸込み型のターボファンで構成されていたが、これに限らず、各吸入口６１，６２のいずれかのみを有する片側吸込み型のターボファンで構成しても構わない。
前記実施形態では、連通孔２２１，２２２は、底面部２２に形成されていたが、天面部２１に形成しても構わない。
前記実施形態において、プロジェクター１は、３つの液晶パネル３５１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束射出側の偏光板３５２，３５３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００３４】
本発明のプロジェクターは、外装筐体の小型化が図れるとともに、外装筐体の設計の自由度を向上できるため、プレゼンテーションやホームシアター等に用いられるプロジェクターに利用できる。
【符号の説明】
【００３５】
１・・・プロジェクター、２・・・外装筐体、４・・・排気ファン、５・・・羽根車、２１・・・天面部、２２・・・底面部、２４・・・前面部（側面部）、３１・・・光源装置、３６・・・投射レンズ（投射光学装置）、５１・・・羽根、６１・・・第１吸入口、６２・・・第２吸入口、２２１，２２２・・・連通孔、２３２・・・排気口、ＣＬ１・・・第１の隙間、ＣＬ２・・・第２の隙間、ＲＡｘ・・・回転軸、Ｒ１・・・回転方向、Ｒ２・・・移動方向。
【図１】
2011209403.tif 000003
【図２】
2011209403.tif 000004
【図３】
2011209403.tif 000005
【図４】
2011209403.tif 000006